(57)【要約】【課題】工事の規模が小さい場合等においても好適に、手軽に使用することができる小型のインターロッキングブロック用輾圧整形仕上機を提供することを目的とする。【解決手段】このインターロッキングブロック用輾圧整形仕上機１は、ベース２と、ベース２の下側に保持されたローラー３，３と、ベース２の上面に配置された自振モーター５と、コの字状のハンドル４と、によって構成されている。また、自振モーター５は、回転子と、その両端にそれぞれ取り付けられた偏心振り子とによって構成されている。更に、ハンドル４は、直立位置から、前方及び後方へそれぞれ回動可能となっている。【選択図】図１
0003156882.tif 000002
【実用新案登録請求の範囲】
【請求項１】
ベースと、ベースの下側に保持されたローラーと、ベースの上面に配置された自振モーターと、ハンドルと、によって構成され、
前記ローラーは、弾性体によって構成され、その外周面の一部がベースの前方端縁、又は、後方端縁よりも外側へ突出するような配置構成となっており、かつ、前記ローラーは、ベースの下側に２本以上保持され、
前記自振モーターは、回転子と、その両端にそれぞれ取り付けられた偏心振り子とによって構成され、機体の左右方向の中央に配置されていることを特徴とする、インターロッキングブロック用輾圧整形仕上機。
【請求項２】
前記ハンドルが、直立位置から、前方及び後方へ回動可能となっていることを特徴とする、請求項１に記載のインターロッキングブロック用輾圧整形仕上機。
【請求項３】
前記自振モーターのスイッチが、前記ハンドルに取り付けられていることを特徴とする、請求項１又は請求項２に記載のインターロッキングブロック用輾圧整形仕上機。
【請求項４】
前記ローラーが、硬質ゴムによって形成されていることを特徴とする、請求項１〜３のいずれかに記載のインターロッキングブロック用輾圧整形仕上機。
【考案の詳細な説明】
【技術分野】
【０００１】
本考案は、歩道、駐車場、或いは、宅地の庭などに、インターロッキングブロックを敷設する際に、各ブロックの表面の高さを揃えるために用いられる輾圧整形仕上機に関する。
【背景技術】
【０００２】
通常、歩道や駐車場は、コンクリート又はアスファルトなどで仕上げられることが多いが、近年では、インターロッキングブロックを敷設する事例が増えている。コンクリートやアスファルトは、降雨時に雨水を地中へ浸透させることができないが、インターロッキングブロックを敷設した場合、目地部から雨水が地中へ浸透することになり、日中の炎天下においても、浸透雨水がブロック表面の急激な温度上昇を抑制し、結果的に、ヒートアイランド現象を緩和させることができると考えられる。
【０００３】
このため、歩道や駐車場等の公共の設備、施設はもちろんのこと、一般の宅地の庭などにおいても、インターロッキングブロックの施工事例が増加していくと考えられている。
【先行技術文献】
【特許文献】
【０００４】
【特許文献１】特開平８−２０９０８号公報
【考案の概要】
【考案が解決しようとする課題】
【０００５】
ところで、インターロッキングブロックを敷設しようとする際には、次のような方法が実施されている。まず、対象地盤の基層上に砂をまき、その表面を均したうえで、インターロッキングブロックを並べて敷き詰め、各ブロックの隙間に砂を入れ、最後に、並べたブロック表面の高さが揃うように、輾圧を行って整形仕上げを行う。
【０００６】
インターロッキングブロックの輾圧（整形仕上げ）には、現在、８０〜１６０ｋｇ級の大型の輾圧機（４本の硬質ゴム製ローラーを備え、エンジン、及び、エンジン駆動の起振装置をベース上に配置した大型のインターロッキングブロック用輾圧整形仕上機）が用いられているが、このような大型の輾圧機を住宅地で使用すると、騒音の面で問題がある。また、機体重量が大きく、可搬性の面で問題がある。このため、約４０ｋｇと軽量で、１００Ｖの家庭用電源で簡単に使用できるインターロッキングブロック用輾圧整形仕上機が求められていた。
【０００７】
本考案は、上記のような従来技術の問題を解決すべくなされたものであって、工事の規模が小さい場合等においても好適に、手軽に使用することができる小型軽量のインターロッキングブロック用輾圧整形仕上機を提供することを目的とする。
【課題を解決するための手段】
【０００８】
本考案のインターロッキングブロック用輾圧整形仕上機は、ベースと、ベースの下側に保持されたローラーと、ベースの上面に配置された自振モーターと、ハンドルと、によって構成され、ローラーが、弾性体（硬質ゴム、ウレタン、エラストマー、樹脂等）によって構成されていることを特徴としている。尚、自振モーターは、回転子と、その両端にそれぞれ取り付けられた偏心振り子とによって構成されていることが好ましく、ローラーは、その外周面の一部がベースの前方端縁、及び、後方端縁よりもそれぞれ外側へ突出するような配置構成となっていることが好ましい。
【０００９】
ハンドルは、直立位置から、前方及び後方へ回動可能となっていることが好ましく、自振モーターは、機体の左右方向の中央に配置されていることが好ましい。また、自振モーターのスイッチは、ハンドルに取り付けられていることが好ましく、更に、ローラーは、硬質ゴムによって形成され、ベースの下側に２本以上保持されていることが好ましい。
【考案の効果】
【００１０】
本考案のインターロッキングブロック用輾圧整形仕上機は、簡単な装置構成でありながら、インターロッキングブロックの整形仕上げ作業を好適に行うことができる。また、装置構成を簡略化することができるため、極めて高い耐久性を期待できるほか、製造コストを大幅に縮減できる。
【００１１】
更に、ローラー３，３の外周面の一部が、ベースの前方端縁、及び、後方端縁よりもそれぞれ外側へ突出するような配置構成とした場合、縁石等に際したブロックを対象とする場合でも、縁石等を破損させることなく、好適に対応することができる。
【図面の簡単な説明】
【００１２】
【図１】図１は、本考案に係るインターロッキングブロック用輾圧整形仕上機１の正面図である。
【図２】図２は、図１のインターロッキングブロック用輾圧整形仕上機１の側面図である。
【考案を実施するための形態】
【００１３】
以下、添付図面に沿って、本考案に係るインターロッキングブロック用輾圧整形仕上機の実施形態について説明する。図１は、本考案に係るインターロッキングブロック用輾圧整形仕上機１の正面図であり、図２は、その側面図である。これらの図において、２はベース、３はローラー、４はハンドル、５は自振モーターである。
【００１４】
図示されているように、ベース２の下側には、二つのローラー３，３が取り付けられている。これらのローラー３，３は、いずれも硬質ゴムによって構成されており、軸心が平行となる向きで保持されている。また、ローラー３，３は、外周面の一部が、ベース２の前方端縁２ａ、及び、後方端縁２ｂよりもそれぞれ外側へ突出するような配置構成となっている。
【００１５】
ベース２の上面には、パイプをコの字状に曲げて形成したハンドル４が枢着されており、このハンドル４は、図２に示す直立位置から、前方及び後方へそれぞれ所定角度範囲内で（本実施形態においては「±４５°」の角度範囲内、図２に示す破線の位置まで）傾けることができるようになっている。このため、機体の前方及び後方のいずれの方向であっても、違和感なく自在に操作することができる。
【００１６】
また、ベース２の上面には、自振モーター５が固定されている。この自振モーター５は、図示しない電源コードを介して電力を供給することにより回転子、及び、その両端にそれぞれ取り付けられた偏心振り子が回転することにより、振動するように構成されている。
【００１７】
このインターロッキングブロック用輾圧整形仕上機１を使用してブロックの整形仕上げ作業を行う場合、ハンドル４を押して、対象となるブロックの上まで移動させ、自振モーター５へ電力を供給して振動させ、その振動を、ベース２、及び、ローラー３，３を介してブロックに伝達させる。そうすると、周囲のブロックよりも高くなっているブロックが振動を受けて沈み、反対に、周囲よりも低くなっているブロックが浮き上がってくる。この作業を、施工対象面において凹凸があるすべての部分に対して行うことにより、ブロックの表面の高さを簡単に揃えることができる。
【００１８】
尚、本実施形態においては、ローラー３，３が、その外周面の一部がベース２の前方端縁２ａ、及び、後方端縁２ｂよりもそれぞれ外側へ突出するような配置構成となっているため、縁石或いは地覆に際したブロックを対象とする場合でも、縁石等を破損させることなく、好適に作業を行うことができる。
【００１９】
また、本実施形態のインターロッキングブロック用輾圧整形仕上機１は、起振装置としての機能と、原動機としての機能を兼ね備えた自振モーター５が搭載されているため、従来のエンジン駆動の大型の輾圧整形仕上機のように、起振装置に対してエンジンの駆動力を伝達するような複雑な構成をとる必要はなく、装置構成を簡略化することができ、極めて高い耐久性を期待できるほか、製造コストを大幅に縮減できる。
【符号の説明】
【００２０】
１：インターロッキングブロック用輾圧整形仕上機、
２：ベース、
３：ローラー、
４：ハンドル、
５：自振モーター
【図１】
0003156882.tif 000003
【図２】
0003156882.tif 000004